(57)【要約】【課題】ケーブル吊り線に装着した止め金具の取り外し作業を、容易に、且つ落下を防止しつつ行なえる様にする。【解決手段】作業員が掴むグリップ１７に、剥し部材１８と抑え部材１９とを支持する。このうちの抑え部材１９により上記止め金具の外周面を弾性的に抑えつつ、上記剥し部材１８の先端部２３を、この止め金具の内周面と上記ケーブル吊り線の外周面との間の隙間に差し込む。この状態で上記止め金具を、上記剥し部材１８と上記抑え部材１９との間で挟み付ける。次いで、上記剥し部材１８の折れ曲がり部分３１と上記ケーブル吊り線の外周面との当接部を支点として取り外し用工具１６全体を揺動させる。この作業により、上記止め金具を上記ケーブル吊り線から、上記取り外し工具１６で支持した状態のまま、このケーブル吊り線から取り外せる。【選択図】　図３
2004147402.tif 000002
【特許請求の範囲】
【請求項１】
金属板を円周方向の一部が欠けた筒状に塑性変形して成り、ケーブル吊り線の中間部に外嵌固定されるケーブルハンガー用止め金具をこのケーブル吊り線から取り外す為の取り外し用工具であって、中間部分が折れ曲がった剥し部材と、上記ケーブルハンガー用止め金具をこの剥し部材の先端部に向け抑え付ける為の抑え部材とを備え、このうちの剥し部材の先端は、上記ケーブルハンガー用止め金具の内周面と上記ケーブル吊り線の外周面との間の隙間に差し込み自在に尖っており、上記抑え部材は、その先端部に設けられた弾性抑え部に、上記剥し部材の先端部に向かう弾性を付与しているケーブルハンガー用止め金具取り外し用工具。
【請求項２】
剥し部材及び抑え部材の中間部先端寄り部分が同方向に折れ曲がっており、この抑え部材の弾性抑え部は、この折れ曲がり部分の内側から上記剥し部材の先端部に向かう弾性が付与されており、上記弾性抑え部の先端部が二股に分岐していて、この弾性抑え部の自由状態で、剥し部材の先端部がこの二股の間部分に入り込み、且つ、この弾性抑え部の先端縁が上記剥し部材よりも突出する、請求項１に記載したケーブルハンガー用止め金具取り外し用工具。
【請求項３】
剥し部材及び抑え部材が、作業員が握る為のグリップに支持されており、これら剥し部材と抑え部材とのうちの少なくとも一方の部材の上記グリップの軸方向に関する取付位置を調節自在としている、請求項１〜２の何れかに記載したケーブルハンガー用止め金具取り外し用工具。
【発明の詳細な説明】
【０００１】
【発明の属する技術分野】
この発明は、電柱等の支持構造物同士の間に電話線等のケーブルを掛け渡す為、ケーブル吊り線に装着するケーブルハンガー用の止め金具を、このケーブル吊り線から取り外す為の工具の改良に関する。
【０００２】
【従来の技術】
電柱を利用してケーブル線路を構成する架空線路の一種として、図７に示す様なケーブル吊り線（鋼撚り線）１を利用した構造が、広く実施されている。この構造では、隣り合う電柱２同士の間に張設した（掛け渡した）上記ケーブル吊り線１に、金属の線材を曲げ形成して成るケーブルハンガー３、３を吊り下げ、これら各ケーブルハンガー３、３の下端部にケーブル４の中間部を支持している。図７には、これら各ケーブルハンガー３、３を、上記電柱２同士の間に上記ケーブル吊り線１を張った後に装着する構造を示している。これに対して、予め地上でケーブルハンガーを装着したケーブル吊り線を電柱同士の間に張設する事で、高所作業を低減して、ケーブルを張設する架渉工事の安全性及び能率を向上する技術が、従来から知られている。
【０００３】
この様な改良された従来技術を実施する為には、ケーブル吊り線に対してケーブルハンガーを、所定位置に予め装着し、この所定位置からずれ動かない様にしておく。この場合に、上記ケーブル吊り線を隣り合う電柱同士の間に張った後、このケーブル吊り線に吊り下げられた複数のケーブルハンガーに対してケーブルを、容易に係止できる様にする必要がある。この為の構造として従来から、特許文献１に記載された構造が知られている。図８〜９は、この特許文献１に記載された発明に則した構造を示している。
【０００４】
上記図８〜９に示したケーブルハンガー３ａは、取付金具５にハンガー本体６の上端部を揺動自在に支持して成る。このうちの取付金具５は、軟鋼板等の金属板を塑性変形させる事により、円周方向の一部が欠けた筒状に形成して成るもので、ケーブル吊り線１の中間部に緩く外嵌している。従って上記取付金具５は、このケーブル吊り線１の周囲で回転自在であり、単独ではこのケーブル吊り線１の長さ方向に変位自在である。この様な取付金具５の周面（使用状態での上面）一端部（図８の左端部）には、上記金属板の一部を円筒状に丸める事により、上記ハンガー本体６の上端部を枢支する為の枢支受部７を形成している。この枢支受部７の中心軸と上記ケーブル吊り線１の中心軸とは捩れの関係にあり、且つ、これら両中心軸の方向は互いに９０度ずれている。
【０００５】
一方、上記ハンガー本体６は、弾性及び必要な剛性を有する金属線材（針金）を曲げ形成する事により、全体を茄子形若しくは達磨形等、前記ケーブル４（図７）を挿通自在な環状に形成して成る。この状態で上記金属線材の一端部（図８の右側上端部、図９の手前側上端部）には、上記枢支受部７に挿通する為の直線状の枢支軸部８を形成している。尚、この枢支軸部８の先端は、上記枢支受部７に挿通した状態で折り曲げて、この枢支軸部８が上記枢支受部７から抜け出ない様にしている。これに対し、上記金属線材の他端部（図８の左側上端部）はＵ字形に折り返して、上記ケーブル吊り線１の上面に係止する（引っ掛ける）為の係止部９を形成している。
【０００６】
上述の様なハンガー本体６は、その使用状態で、一端部に設けた枢支軸部８を上記取付金具５を介して上記ケーブル吊り線１に、他端部を上記係止部９によりこのケーブル吊り線１に、それぞれ吊り下げる。そして、この状態で、上記ハンガー本体６の下半部に設けたループ部１０に上記ケーブル４を挿通する事により、このケーブル４を上記ケーブル吊り線１に吊り下げる。尚、上記ハンガー本体６の上端部に設けた、上記枢支軸部８と上記係止部９とは、上記ケーブル吊り線１の長さ方向に離隔しており、これら両部８、９同士の間には、上記ケーブル４を引き込む為の通線紐の外径よりも大きな開口部１１が存在する。そして、この開口部１１は、上記ハンガー本体６を図８の状態よりも時計方向に９０度弱揺動させる事により、上記ケーブル吊り線１の上側に開口した状態となる。
【０００７】
上記ケーブルハンガー３ａは、上述した様に、前記取付金具５によって上記ケーブル吊り線１に対し、回転及び軸方向の変位自在に装着されている。このうちの回転は、上記ハンガー本体６を、常に上記ケーブル吊り線１の下方に吊り下げられた状態に規制すべく必要である。これに対して、上記ケーブルハンガー３ａが上記ケーブル吊り線１の長さ方向にずれ動く事は好ましくない。即ち、予めこのケーブル吊り線１の中間部に装着したケーブルハンガー３ａが、前記電柱２（図７）への張設作業時に、或は張設作業後に、所定位置からずれ動いたのでは、上記ケーブル吊り線１に対する上記ケーブル４の吊り下げ支持を効果的に行なえなくなる。
【０００８】
この為に、上記ケーブル吊り線１の中間部で、上記取付金具５に隣接し、且つ、この取付金具を両側から挟む位置に、１個の取付金具５毎に１対ずつの止め金具１２、１２を固定している。これら各止め金具１２、１２は、軟鋼板等の金属板を塑性変形する事により、円周方向の一部が欠けた円筒状に塑性変形して成る。この様な各止め金具１２、１２は、それぞれ上記ケーブル吊り線１の中間部所定位置に締め付け固定する事により、この所定位置に固定している。この構成により、上記ケーブルハンガー３ａが、上記ケーブル吊り線１の中間部所定位置からずれ動かない様にしている。尚、上記１対の止め金具１２、１２同士の間隔Ｄは、上記取付金具５の長さＬよりも少しだけ大きく（Ｄ＞Ｌ）して、上記ケーブル吊り線１の周囲での上記取付金具５の回転を妨げない様にしている。又、上記ループ部１０は、上記ケーブル４の保護を目的として、ポリ塩化ビニルの如き合成樹脂等により造られた保護材１３により覆う場合もある。
【０００９】
図８〜９に示した止め金具１２、１２は、全体を上記ケーブル吊り線１の外周面に抑え付ける構造としている。これに対して、前記特許文献１の他、特許文献２、３には、図１０〜１２に示す様に、止め金具１２ａの中間部に形成したコ字形の切目の内側を径方向内方に曲げ起こして成る係止突片１４、１４の先端を、ケーブル吊り線１を構成する素線１５、１５の間部分に食い込ませる構造が記載されている。この様な構造によれば、上記ケーブル吊り線１に対する上記止め金具１２ａの結合強度を高くして、このケーブル吊り線１に対する上記止め金具１２ａのずれ動き防止を、より確実に図れる。尚、上記係止突片１４、１４は、上記止め金具１２ａを上記ケーブル吊り線１の中間部にかしめ付けるのに先立って形成しておく。従って上記各係止突片１４、１４は、上記止め金具１２ａを上記ケーブル吊り線１の中間部にかしめ付けるのに伴って、上記素線１５、１５の間部分に食い込む。
【００１０】
ところで、図８〜９に示す様に、ケーブル吊り線１の中間部所定位置に予めケーブルハンガー３ａを装着した場合でも、何らかの理由でこのケーブルハンガー３ａの取付位置をずらせたり、或はこのケーブルハンガー３ａを取り外す必要が生じる事がある。例えば、上記ケーブル吊り線１を電柱２（図７）に対し結合支持すべき部分に上記ケーブルハンガー３ａが存在した場合、当該ケーブルハンガー３ａの取付位置をずらせたり、或は取り外す必要が生じる。この様な場合には、前記止め金具１２、１２ａの不連続部にマイナスドライバー、ペンチ等の工具の先端部をこじ入れて、この止め金具１２、１２ａを構成する金属板を上記ケーブル吊り線１の外周面から浮かせる様にしている。
【００１１】
【特許文献１】
特開２００１−１１２１５４号公報
【特許文献２】
特開２００１−１１２１５５号公報
【特許文献３】
特開２００１−１１９８２３号公報
【００１２】
【発明が解決しようとする課題】
止め金具１２（１２ａ）を構成する金属板は、厚さが１ｍｍ以下（例えば０．５ｍｍ程度）しかなく、しかも、図１３に示す様に、単に両端部を直角に切断しただけである。この為、上記止め金具１２（１２ａ）を構成する金属板をケーブル吊り線１の外周面から浮かせるベく、この金属板の端縁部に工具の先端部をこじ入れる作業は面倒で、熟練が必要であった。しかも、作業の失敗により、手指等を負傷する可能性や、上記ケーブル吊り線１を損傷する可能性もあった。
【００１３】
更には、上記止め金具１２（１２ａ）を上記ケーブル吊り線１から取り外した直後、この止め金具１２（１２ａ）を落下させ易い。この止め金具１２（１２ａ）は軽量である為、下方にいる作業員等に当たっても負傷する可能性は低いが、異物が当たる事自体不快であるだけでなく、当たり場所によっては負傷する可能性が全くないとは言えない。又、下方を走行する、或は下方に駐停車している車両に当たった場合には、この車両の塗装を傷める可能性もある。
この様な事情に鑑みて、上記ケーブル吊り線１からの上記止め金具１２（１２ａ）の取り外しを容易に、しかもこの止め金具１２（１２ａ）を落下させる事なく行なえる工具の実現が望まれている。
本発明のケーブルハンガー用止め金具取り外し用工具は、この様な事情に鑑みて発明したものである。
【００１４】
【課題を解決するための手段】
本発明のケーブルハンガー用止め金具取り外し用工具は、ケーブルハンガー用止め金具を上記ケーブル吊り線から取り外す為のものである。又、このケーブルハンガー用止め金具は、金属板を円周方向の一部が欠けた筒状に塑性変形して成り、上記ケーブル吊り線の中間部で上記取付金具に隣接する部分に外嵌固定される。そして、ケーブル吊り線の下方にケーブルを架渉すべくこのケーブル吊り線にケーブルハンガーを吊り下げ支持する為、このケーブルハンガーの上端部に設けられて上記ケーブル吊り線に緩く外嵌された取付金具の、このケーブル吊り線の長さ方向に関する位置決めを図る。
【００１５】
この様なケーブルハンガー用止め金具を上記ケーブル吊り線から取り外す為の、本発明のケーブルハンガー用止め金具取り外し用工具は、剥し部材と抑え部材とを備える。
このうちの剥し部材の先端は、上記ケーブルハンガー用止め金具の内周面と上記ケーブル吊り線の外周面との間の隙間に差し込み自在に尖っている。
又、上記抑え部材は、上記ケーブルハンガー用止め金具をこの剥し部材の先端部に向け抑え付ける為のもので、その先端部に設けられた弾性抑え部に、上記剥し部材の先端部に向かう弾性を付与している。
【００１６】
【作用】
上述の様に構成する本発明のケーブルハンガー用止め金具取り外し用工具により、ケーブル吊り線からケーブルハンガー用止め金具を取り外す際には、抑え部材の先端部をこのケーブルハンガー用止め金具の外周面に当接させつつ、剥し部材の先端を、このケーブルハンガー用止め金具の内周面とケーブル吊り線の外周面との間の隙間に差し込む。この状態でこのケーブルハンガー用止め金具の一部が、上記抑え部材の先端部と上記剥し部材の先端部との間で弾性的に挟持される。この剥し部材の先端は、千枚通し若しくはアイスピック状、又はくさび状に尖っているので、上記隙間内への差し込み作業は容易に行なえる。又、差し込み作業に伴って上記隙間が拡がり、上記ケーブルハンガー用止め金具が上記ケーブル吊り線から浮き上がる。
【００１７】
そこで、この状態から上記剥し部材の先端部を上記ケーブル吊り線の外周面から遠ざける作業を行なう。この作業は、例えば、上記ケーブル吊り線の外周面と折れ曲がり部との当接部を支点として、上記先端部がこのケーブル吊り線の外周面から離れる方向に、上記剥し部材を揺動させる事により行なう。この結果、上記ケーブルハンガー用止め金具が上記ケーブル吊り線から完全に浮き上がってこのケーブル吊り線から外れる。この状態で、上記ケーブルハンガー用止め金具の一部は、上記抑え部材の先端部と上記剥し部材の先端部との間で弾性的に挟持されたままである。従って、上記ケーブル吊り線から外れた上記ケーブルハンガー用止め金具が、下方に落下する事はない。
この結果、上記ケーブル吊り線から上記ケーブルハンガー用止め金具を取り外す作業を、特に熟練を要する事なく容易に、上記ケーブル吊り線を傷める事なく、しかもケーブルハンガー用止め金具の落下防止を確実に図りつつ行なえる。
【００１８】
【発明の実施の形態】
図１〜３は、本発明の実施の形態の１例を示している。本例のケーブルハンガー用止め金具取り外し用工具（以下「取り外し用工具」とする）１６は、作業員が握る為のグリップ１７に剥し部材１８と抑え部材１９とを、それぞれこのグリップ１７の軸方向（図１〜３の左右方向）の位置調節自在に組み付けて成る。
【００１９】
このうちのグリップ１７は、鋼、ステンレス鋼、アルミニウム合金等の金属材料により円管状に形成している。この様なグリップ１７の基半部（図１〜３の右半部）は、軽量化の為に比較的薄肉に形成している。これに対して先半部（図１〜３の左半部）は厚肉にして、その中心部に支持孔２０を形成している。この支持孔２０の内径は、上記剥し部材１８の基半部（図３の右半部）の外径よりも僅かに大きくしている。従って、この剥し部材１８の基半部は上記支持孔２０内に、ほぼがたつきなく挿入自在である。又、上記グリップ１７の先半部の軸方向２箇所位置にはねじ孔２１ａ、２１ｂを、上記支持孔２０を挟む状態で設けている。図示の例では、この支持孔２０を挟んで径方向片側（図３の上側）に形成したねじ孔２１ａ、２１ａと径方向他側（図３の下側）に形成したねじ孔２１ｂ、２１ｂとを、互いに同心且つ同径にして、これら両ねじ孔２１ａ、２１ｂを同時に加工できる様にしている。
【００２０】
又、上記剥し部材１８は、炭素鋼、ステンレス鋼等の金属製で、中間部先端寄り（図１〜３の左寄り）部分が、元の直線形状に対し９０度未満折れ曲がった形状を有する。又、上記剥し部材１８の先端部２３は、千枚通し若しくはアイスピックの如く先端が尖っており、ケーブルハンガー用の止め金具１２、１２ａ（図８〜１３参照）の内周面とケーブル吊り線１（図７〜９、１１〜１３参照）の外周面との間の隙間に差し込み自在である。即ち、上記ケーブル吊り線１は、前述した図１２に示す様に、複数本の素線１５、１５をより合わせて成る為、外周面の断面形状は花形で、この外周面と上記止め金具１２ａ（１２）の内周面との間の円周方向複数個所に、図１２に示す様な、銀杏の葉形状の断面形状を有する隙間２２、２２が生じる。上記剥し部材１８の先端部２３は、この様な隙間２２、２２内に容易に挿入自在な程度に尖らせている。
【００２１】
又、上記剥し部材１８の基半部外周面の円周方向一部で、上記先端部２３の折れ曲がり方向（図１、３の上方向）と逆側（図３の下側）部分は平削して、当該部分に平坦面部２４を形成している。そして、この平坦面部２４に、前記各ねじ孔２１ｂ、２１ｂに螺合した止めスタッド２５、２５の先端面（図３の上端面）を突き当てている。これら各止めスタッド２５、２５を、それぞれの基端面に形成した六角孔に六角レンチを係合させて緊締した状態で、上記剥し部材１８は前記グリップ１７に対し、回転及び軸方向移動を阻止された状態で固定される。これに対して上記各止めスタッド２５、２５を少し緩めた状態では、上記グリップ１７に対する上記剥し部材１８の、軸方向位置の調節が自在となる。
【００２２】
又、前記抑え部材１９は、ばね鋼、ステンレスのばね鋼等の弾性を有する金属板の中間部先端寄り（図１〜３の左寄り）部分を、上記剥し部材１８の先端部２３と同方向に折り曲げる事により、先端部に弾性抑え部２６を形成して成る。この弾性抑え部２６の折り曲げ角度θ２６は、上記先端部２３の折り曲げ角度θ２３よりも小さく（θ２６＜θ２３）している。又、上記弾性抑え部２６の先端部は二股に分岐させている。即ち、この弾性抑え部２６の幅方向（図２の上下方向）中央部に、この弾性抑え部２６の先端縁に開口する切り欠き２７を形成している。更に、この切り欠き２７の幅方向両側に存在する舌片部２８、２８の先端縁部は、上記グリップ１７の側に折り曲げている。
【００２３】
この様な抑え部材１９は上記グリップ１７に対し、このグリップ１７の軸方向位置調節自在に組み付けている。この為に本例の場合には、上記抑え部材１９の基半部に上記軸方向に長い長孔２９を形成し、この長孔２９に挿通した１対の止めねじ３０、３０を、前記ねじ孔２１ａ、２１ａに螺合している。これら両止めねじ３０、３０を緊締した状態では、上記抑え部材１９は上記グリップ１７に対し固定される。これに対して、上記両止めねじ３０、３０を少し緩めた状態では、上記グリップ１７に対する上記抑え部材１９の軸方向位置の調節が、上記長孔２９の内側で上記両止めねじ３０、３０が動き得る範囲内で、自在となる。
【００２４】
上述の様な、グリップ１７と剥し部材１８と抑え部材１９とから成る取り外し用具１６を使用する際には、これら各部材１７〜１９の位置関係を、図１〜３に示す状態に調節する。即ち、上記剥し部材１８の先端が上記抑え部材１９の先端部に形成した切り欠き２７の内側に存在する状態で、これら両部材１８、１９を上記グリップ１７に対し固定する。従って、前記弾性抑え部２６は、上記剥し部材１８の中間部先端寄り部分に形成した折れ曲がり部分３１の内側から、この剥し部材１８の先端部２３に向かう弾性が付与された状態となる。又、この状態で、上記各舌片部２８、２８の先端縁は、上記剥し部材１９の先端よりも、上記先端部２３の延長方向に少し突出する。
【００２５】
上述の様に構成する本例の取り外し用工具１６により、前記ケーブル吊り線１から前記ケーブルハンガー用の止め金具１２（１２ａ）を取り外す作業は、次の様にして行なう。
先ず、上記抑え部材１９の先端部に設けた１対の舌片部２８、２８の先端部で上記剥し部材１８の先端よりも突出した部分を、上記止め金具１２（１２ａ）の端部外周面に当接させる。そして、上記両舌片部２８、２８を（図１、３の時計方向に）弾性変形させつつ、上記剥し部材１８の先端部２３を、上記止め金具１２（１２ａ）の内周面と前記ケーブル吊り線１の外周面との間の隙間２２（図１２参照）に差し込む。この状態で上記止め金具１２（１２ａ）の一部が、上記両舌片部２８、２８と上記剥し部材１８の先端部２３との間で弾性的に挟持される。この剥し部材１８の先端部２３は、千枚通し若しくはアイスピック状に尖っているので、上記隙間２２内への差し込み作業は容易に行なえる。又、上記剥し部材１８の先端部２３の外径は、先端から上記折れ曲がり部分３１に向かうに従って大きくなるので、差し込み作業に伴って上記隙間２２が拡がり、上記止め金具１２（１２ａ）が上記ケーブル吊り線１から浮き上がる。
【００２６】
そこで、この状態から上記剥し部材１８の先端部２３を上記ケーブル吊り線１の外周面から遠ざける作業を行なう。本例の場合、この作業は、上記ケーブル吊り線１の外周面と上記折れ曲がり部分３１との当接部を支点として、上記先端部２３が上記ケーブル吊り線１の外周面から離れる方向（図１、３の時計方向）に、前記取り外し工具１６全体を揺動させる事により行なう。この揺動作業は、梃子の原理により、比較的軽い力で行なえる。そして、この作業の結果、上記止め金具１２（１２ａ）が上記ケーブル吊り線１から完全に浮き上がって、この止め金具１２（１２ａ）の不連続部の幅が、上記ケーブル吊り線１の外径以上に拡がる。そして、このケーブル吊り線１を上記不連続部を通過させる事により、上記止め金具１２（１２ａ）をこのケーブル吊り線１から外せる（取り外せる）。
【００２７】
この様に、上記止め金具１２（１２ａ）を上記ケーブル吊り線１から取り外した状態で、この止め金具１２（１２ａ）の一部は、上記抑え部材１９の先端部に設けた１対の舌片部２８、２８と上記剥し部材１８の先端部２３との間で弾性的に挟持されたままである。従って、上記ケーブル吊り線１から外れた上記止め金具１２（１２ａ）が、下方に落下する事はない。
従って、上記ケーブル吊り線１から上記止め金具１２（１２ａ）を取り外す作業を、特に熟練を要する事なく容易に、しかもこの止め金具１２（１２ａ）の落下防止を確実に図りつつ行なえる。
【００２８】
尚、図８〜９に示す様にしてケーブル吊り線１に装着したケーブルハンガー３ａの取付位置をずらせたり、或はこのケーブルハンガー３ａを取り外す場合には、上述の様に止め金具１２（１２ａ）を取り外すだけでなく、取付金具５も取り外す必要が生じる場合がある。但し、この取付金具５の内径に関しては、上記ケーブル吊り線１に対する回動を可能にする為、このケーブル吊り線１の外径よりも大きく、このケーブル吊り線１の外周面と上記取付金具５の内周面との間には、比較的大きな隙間が存在する。又、ハンガー本体６が上記ケーブル吊り線１を囲む状態で設けられており、上記取付金具５はこのハンガー本体６に対し結合されている為、この取付金具５を上記ケーブル吊り線１から取り外したとしても、この取付金具５が直ちに落下する事はない。従って、上記取付金具５の取り外し用の工具に関しては、上記止め金具１２（１２ａ）を取り外す為の工具の様な配慮は不要である。要は、上記ケーブル吊り線１の外周面と上記取付金具５の内周面との間の隙間に挿入して、この隙間を広げられるものであれば良い。
【００２９】
図４〜６は、この様な点を考慮して構成した、上記取付金具５を上記ケーブル吊り線１から取り外す為の取り外し用工具３２の１例を示している。この取り外し用工具３２は、グリップ３３に対して差し込み片３４を、１対の止めねじ３５、３５により、軸方向位置の調節自在に支持している。そして、上記差し込み片３４の先端部（図４〜６の左端部）にくさび状の挿入部３６を形成すると共に、この挿入部３６の先端縁を凹円弧部３７としている。
【００３０】
上記取付金具５を上記ケーブル吊り線１から取り外す際には、上記凹円弧部３７を上記ケーブル吊り線１の外周面に沿って移動させつつ、上記挿入部３６の先端部を上記ケーブル吊り線１の外周面と上記取付金具５の内周面との間の隙間に挿入する。そして、上記グリップ３３を捩る様にして、この隙間を広げつつ上記取付金具５を塑性変形させる。この結果、この取付金具５の不連続部の幅が上記ケーブル吊り線１の外径以上になって、この取付金具５をこのケーブル吊り線１から取り外せる。
尚、この様な、取付金具５の取り外し用の工具は、適切な大きさを有する、市販のマイナスドライバの先端縁を、上記ケーブル吊り線１の外径に合わせて凹円弧状に削る事によって、低コストで得られる。
【００３１】
【発明の効果】
本発明は、以上に述べた通り構成され作用するので、ケーブル吊り線に対するケーブルハンガーの取付位置を変える為に、ケーブルハンガー用止め金具を取り外す作業を、熟練を要する事なく容易に、しかもこの止め金具を落下させる事なく行なえる。この為、ケーブル吊り線を利用した架空線路の架渉作業の能率化と安全性の向上とを図れる。又、小型且つ軽量に構成できる為、高所作業の妨げとなる事もない。
【図面の簡単な説明】
【図１】本発明の実施の形態の１例を示す側面図。
【図２】図１の上方から見た平面図。
【図３】図２のＡ−Ａ断面図。
【図４】ケーブルハンガーの取付金具の取り外し用工具の１例を示す側面図。
【図５】図４の下方から見た平面図。
【図６】図４のＢ−Ｂ断面図。
【図７】ケーブル吊り線を使用した架空線路の１例を示す斜視図。
【図８】改良されたケーブルハンガーと止め金具とを示す側面図。
【図９】図８のＣ−Ｃ断面図。
【図１０】止め金具の別例を示す斜視図。
【図１１】ケーブル吊り線に装着した状態を示す側面図。
【図１２】図１１のＤ−Ｄ断面図。
【図１３】図８のＥ−Ｅ断面図。
【符号の説明】
１　　ケーブル吊り線
２　　電柱
３、３ａ　ケーブルハンガー
４　　ケーブル
５　　取付金具
６　　ハンガー本体
７　　枢支受部
８　　枢支軸部
９　　係止部
１０　　ループ部
１１　　開口部
１２、１２ａ　止め金具
１３　　保護材
１４　　係止突片
１５　　素線
１６　　取り外し用工具
１７　　グリップ
１８　　剥し部材
１９　　抑え部材
２０　　支持孔
２１ａ、２１ｂ　ねじ孔
２２　　隙間
２３　　先端部
２４　　平坦面部
２５　　止めスタッド
２６　　弾性抑え部
２７　　切り欠き
２８　　舌片部
２９　　長孔
３０　　止めねじ
３１　　折れ曲がり部分
３２　　取り外し用工具
３３　　グリップ
３４　　差し込み片
３５　　止めねじ
３６　　挿入部
３７　　凹円弧部
【図１】
2004147402.tif 000003
【図２】
2004147402.tif 000004
【図３】
2004147402.tif 000005
【図４】
2004147402.tif 000006
【図５】
2004147402.tif 000007
【図６】
2004147402.tif 000008
【図７】
2004147402.tif 000009
【図８】
2004147402.tif 000010
【図９】
2004147402.tif 000011
【図１０】
2004147402.tif 000012
【図１１】
2004147402.tif 000013
【図１２】
2004147402.tif 000014
【図１３】
2004147402.tif 000015